【事件の表示】
　特許第６３１５０８４号発明「低鉄損で低磁歪の方向性電磁鋼板」の特許異議申立事件について、次のとおり決定する。
【結　論】
　特許第６３１５０８４号の特許請求の範囲を訂正請求書に添付された訂正特許請求の範囲のとおり、訂正後の請求項〔１〜５〕について訂正することを認める。
　特許第６３１５０８４号の請求項１〜５に係る特許を維持する。
【理　由】
第１　手続の経緯
　特許第６３１５０８４号（以下、「本件特許」という。）の請求項１〜５に係る特許についての出願は、２０１５年（平成２７年）５月８日（優先権主張　平成２６年５月９日）を国際出願日とする出願であって、平成３０年４月６日に特許権の設定登録がされ、同年４月２５日に特許掲載公報が発行され、その後、同年１０月２５日付けで請求項１〜５（全請求項）に係る本件特許に対し、特許異議申立人であるＪＦＥスチール株式会社（以下、「申立人」という。）によって特許異議の申立てがされ、平成３１年２月１４日付けで当審から取消理由が通知され、同年３月２０日付けで特許権者から意見書の提出及び訂正請求（以下、「本件訂正請求」という。）がされ、同年４月５日付けで当審から申立人に対し訂正請求があった旨の通知（特許法第１２０条の５第５項）をするとともに相当の期間を指定して意見書を提出する機会を与えたが、申立人から意見書は提出されなかったものである。
第２　本件訂正の適否
　１　本件訂正請求の趣旨
　本件訂正請求の趣旨は「特許第６３１５０８４号の特許請求の範囲を本件請求書に添付した訂正特許請求の範囲のとおり、訂正後の請求項１〜５について訂正することを求める。」というものである。
　２　訂正事項
　本件訂正請求に係る訂正（以下、「本件訂正」という。）の内容は、以下の「訂正事項」のとおりである。なお、下線は訂正箇所を示すために当審において付したものである。
［訂正事項］
　請求項１の
　「鋼板母材と、前記鋼板母材の表面に形成された１次被膜と、前記１次被膜の表面に形成された張力絶縁被膜とを有する方向性電磁鋼板」という記載を
　「鋼板母材と、前記鋼板母材の表面に形成された１次被膜と、前記１次被膜の表面に形成された張力絶縁被膜とを有
し、前記張力絶縁被膜の上からレーザを照射することにより磁区制御がなされた
　請求項１の
　「ＳＡ；前記１次被膜及び前記張力絶縁被膜が形成された片面のみを酸洗した時の前記方向性電磁鋼板の単位μｍでの反り量
　　ＳＢ；前記１次被膜及び前記張力絶縁被膜が形成された前記片面と反対側の片面のみを酸洗した時の前記方向性電磁鋼板の単位μｍでの反り量」という記載を
　「ＳＡ；前記１次被膜及び前記張力絶縁被膜が形成され
レーザ照射した側の
　　ＳＢ；前記１次被膜及び前記張力絶縁被膜が形成され
レーザ照射した側
　３　一群の請求項について
　本件訂正前の請求項１〜５は、請求項２〜５が、本件訂正請求の対象である請求項１を引用する関係にあるから、本件訂正は、一群の請求項である請求項１〜５について請求されたものであり、特許法第１２０条の５第４項の規定に適合する。
　４　訂正要件の検討
（１）訂正の目的の適否，特許請求の範囲の拡張・変更の存否，新規事項の有無
　ア　訂正の目的の適否，特許請求の範囲の拡張・変更の存否
　本件訂正は、「電磁鋼板」が「張力絶縁被膜の上からレーザを照射することにより磁区制御がなされた」ものであること、「ＳＡ」の「片面」が「レーザ照射した側の片面」であること、及び「ＳＢ」の「片面」が「レーザ照射した側と反対側の片面」であることを限定するものであるから、特許法第１２０条の５第２項ただし書第１号に掲げる「特許請求の範囲の減縮」を目的とするものであり、実質上特許請求の範囲を拡張し、又は変更するものではないから、特許法第１２０条の５第９項で準用する同法第１２６条第６項の規定に適合する。
　イ　新規事項の有無
（ア）本件特許の願書に添付された明細書及び図面（以下、「本件明細書等」という。）には、以下の記載がある。なお、「・・・」は記載の省略を表し、下線は当審において付した（以下同様）。
　「
本発明の好適な実施形態
　
両方の表面に１次被膜（グラス被膜）と張力絶縁被膜とが形成された方向性電磁鋼板において、一方の表面にレーザ照射による磁区細分化処理が施された方向性電磁鋼板
　「
方向性電磁鋼板から、圧延方向と平行な方向の長さが３００ｍｍであり、板幅方向と平行な方向の長さが６０ｍｍである短冊状のサンプルを採取
サンプルに対して酸洗を行うことにより、張力絶縁被膜の表面から、鋼板母材と１次被膜との界面よりも鋼板母材側に５μｍの深さ位置までの範囲を除去した。
　「測定した結果を、被膜を有さず、かつ、レーザ照射による歪の影響を取り除いた鋼板母材に対する、被膜により与えられる張力（被膜張力）の影響、並びに被膜張力及びレーザ照射により与えられる応力（被膜張力＋レーザ付与応力）の影響の観点から整理した。すなわち、
　
レーザ照射した側の片面のみを酸洗
Ｓ
Ａ
　
レーザ照射した側と反対側の片面のみを酸洗
Ｓ
Ｂ
　両面を酸洗した時の方向性電磁鋼板の反り量（μｍ）；ＳＣ
とし、
　ΔＳＣ＝ＳＡ−ＳＣ、
　ΔＳＬ＝ＳＢ＋ＳＣ
として、
  各サンプルのΔＳＣ及びΔＳＬに対する鉄損と磁歪との関係を調べた。」（【００２６】）
（イ）前記「（ア）」の記載によれば、本件訂正は、いずれも本件明細書等に記載した事項の範囲内のものであるといえるから、特許法第１２０条の５第９項で準用する同法第１２６条第５項の規定に適合する。
（２）独立特許要件
　特許異議の申立ては、本件訂正前の請求項１〜５の全請求項に対してされているので、特許法第１２０条の５第９項において読み替えて準用する同法第１２６条第７項の規定は適用されない。
　５　小括
　以上のとおり、本件訂正は、特許法第１２０条の５第２項ただし書第１号に掲げる事項を目的とするものであり、同条第４項並びに、同条第９項で準用する同法第１２６条第５項及び第６項の規定に適合する。
　そして、本件訂正は、請求項間の引用関係の解消を目的とするものではなく、特定の請求項に係る訂正事項について別の請求単位とする求めもない。
　したがって、特許請求の範囲を、訂正請求書に添付された訂正特許請求の範囲のとおり、請求項〔１〜５〕について訂正することを認める。
第３　当審の判断
　１　本件発明
　本件訂正が認められたので、本件特許の特許請求の範囲の請求項１〜５に係る発明（以下、それぞれ「本件発明１」〜「本件発明５」という。）は、本件訂正後の特許請求の範囲の請求項１〜５に記載された事項により特定される次のとおりのものである。
　「【請求項１】
　鋼板母材と、前記鋼板母材の表面に形成された１次被膜と、前記１次被膜の表面に形成された張力絶縁被膜とを有
し、前記張力絶縁被膜の上からレーザを照射することにより磁区制御がなされた
　前記方向性電磁鋼板の圧延方向と平行な方向の長さが３００ｍｍかつ板幅方向と平行な方向の長さが６０ｍｍである短冊状のサンプルを前記方向性電磁鋼板から採取し、前記サンプルの少なくとも片面を酸洗することにより、前記張力絶縁被膜の表面から、前記鋼板母材と前記１次被膜との界面よりも前記鋼板母材側に５μｍの深さ位置までの範囲を除去した後に前記サンプルの反り量を測定したとき、
　前記反り量が下記の式Ａ及び式Ｂを満たし、
　前記張力絶縁被膜の単位μｍでの平均膜厚ｄｔを前記１次被膜の単位μｍでの平均膜厚ｄｐで除した値ｄｔ／ｄｐが０．１以上３．０以下である
ことを特徴とする方向性電磁鋼板。
　　１５０００μｍ≦ＳＡ−ＳＣ≦３５０００μｍ・・・（式Ａ）
　　９００μｍ≦ＳＢ＋ＳＣ≦１４０００μｍ　　・・・（式Ｂ）
　ここで、ＳＡ、ＳＢ、ＳＣは以下を示す。
　　ＳＡ；前記１次被膜及び前記張力絶縁被膜が形成され
レーザ照射した側の
　　ＳＢ；前記１次被膜及び前記張力絶縁被膜が形成され
レーザ照射した側
　　ＳＣ；両面を酸洗した時の前記方向性電磁鋼板の単位μｍでの反り量
　ただし、ＳＡとＳＢの測定の際には酸洗した面と同一方向への反りを正の値とし、ＳＣはＳＡと同じ方向への反りを正の値と定義する。
【請求項２】
　前記張力絶縁被膜の単位μｍでの平均膜厚ｄｔを前記１次被膜の単位μｍでの平均膜厚ｄｐで除した値ｄｔ／ｄｐが０．１以上１．５以下である
ことを特徴とする請求項１に記載の方向性電磁鋼板。
【請求項３】
　前記張力絶縁被膜の単位μｍでの平均膜厚ｄｔを前記１次被膜の単位μｍでの平均膜厚ｄｐで除した値ｄｔ／ｄｐが０．１以上１．０以下である
ことを特徴とする請求項１に記載の方向性電磁鋼板。
【請求項４】
　前記張力絶縁被膜の平均膜厚が０．５μｍ以上４．５μｍ以下である
ことを特徴とする請求項１から３の何れか１項に記載の方向性電磁鋼板。
【請求項５】
　前記１次被膜及び前記張力絶縁被膜によって前記鋼板母材に与えられる合計の張力が１ＭＰａ以上１０ＭＰａ以下である
ことを特徴とする請求項１から４の何れか１項に記載の方向性電磁鋼板。」
　２　取消理由通知に記載した取消理由について
（１）取消理由の内容
　本件訂正前の請求項１及び請求項１を引用する請求項３〜５に対し、平成３０年９月２６日付けで当審から特許権者に通知した取消理由の内容は以下のとおりである。
　ア　取消理由１（新規事項追加）
　平成２９年１０月３日付け手続補正書による手続補正は、以下の補正事項１〜４（下線は、訂正箇所を示すために当審が付した。）を含むから、請求項１及びこれを引用する請求項２〜５に係る特許は、特許法第１７条の２第３項に規定する要件を満たしていない補正をした特許出願に対してされたものである。
（補正事項１）
　請求項１の「鋼板母材と、前記鋼板母材の表面に形成された１次被膜と、前記１次被膜の表面に形成された張力絶縁被膜とを有
し、前記張力絶縁被膜の上からレーザを照射することにより磁区制御がなされた
（補正事項２）
　請求項１の「ＳＡ；
レーザ照射した側の
前記１次被膜及び前記張力絶縁被膜が形成された
（補正事項３）
　請求項１の「ＳＢ；
レーザ照射した側
前記１次被膜及び前記張力絶縁被膜が形成された前記片面
（補正事項４）
　補正事項１〜３に係る本件補正と整合するように、【００１４】の記載を補正する。
　イ　取消理由２（サポート要件違反）
　前記「ア」の補正事項１〜３によって、「電磁鋼板」が「張力絶縁被膜の上からレーザを照射することにより磁区制御がなされた」ものであること、「ＳＡ」の「片面」が「レーザ照射した側の片面」であること、及び「ＳＢ」の「片面」が「レーザ照射した側と反対側の片面」であることの特定がされないものとなった請求項１に係る発明及びこれを引用する請求項２〜５に係る発明は、サポート要件に適合するとはいえない。
　したがって、本件特許の請求項１及びこれを引用する請求項２〜５に係る特許は、特許法第３６条第６項第１号に規定する要件を満たしていない特許出願に対してされたものである。
（２）取消理由の検討
　前記「第２」で検討したとおり、本件訂正によって、請求項１において「電磁鋼板」が「張力絶縁被膜の上からレーザを照射することにより磁区制御がなされた」ものであること、「ＳＡ」の「片面」が「レーザ照射した側の片面」であること、及び「ＳＢ」の「片面」が「レーザ照射した側と反対側の片面」であることが限定された。
　したがって、本件訂正により、前記「（１）」の取消理由１（新規事項追加）及び取消理由２（サポート要件違反）は、いずれも解消した。
　３　取消理由通知において採用しなかった特許異議申立理由について
（１）取消理由通知で採用しなかった特許異議申立理由の概要
　本件訂正前の請求項１〜５に対する特許異議申立理由のうち、取消理由通知において採用しなかったものの概要は、以下のとおりである。
　ア　申立理由１（進歩性欠如）
　本件特許の請求項１〜５に係る発明は、甲第１号証、甲第２号証及び甲第３号証に記載された発明、又は、甲第１号証、甲第４号証及び甲第５号証に記載された発明に基づいて、当業者が容易に発明をすることができたものであるから、本件特許の請求項１〜５に係る特許は、特許法第２９条第２項の規定に違反してされたものである。
［証拠方法］
　甲第１号証：特開２００２−３５６７５０号公報
　甲第２号証：特開昭６３−２８６５２１号公報
　甲第３号証：特開平６−１４５９９８号公報
　甲第４号証：特開平８−２２２４２３号公報
　甲第５号証：特開２０１１−２４６７７０号公報
（以下、「甲第１号証」〜「甲第５号証」を、それぞれ「甲１」〜「甲５」という。）
　イ　申立理由２（明確性要件違反）
（ア）請求項１の記載では、「１次被膜」及び「張力絶縁被膜」が、方向性電磁鋼板の片面のみに形成されているのか、両面に形成されているのかが明らかではないではないから、請求項１及びこれを引用する請求項２〜５の記載は不明確である。
　よって、本件特許の請求項１〜５に係る特許は、特許法第３６条第６項第２号に規定する要件を満たしていない特許出願に対してされたものである。
（イ）請求項１の記載によれば、「ＳＡ」と「ＳＢ」は２通りの解釈が可能であるから、いずれの場合においても式Ａ，Ｂを満たすことを要するところ、実際はそのようにならない場合もあるから、請求項１及びこれを引用する請求項２〜５の記載は不明確である。
　よって、本件特許の請求項１〜５に係る特許は、特許法第３６条第６項第２号に規定する要件を満たしていない特許出願に対してされたものである。
（２）当審の判断
　ア　申立理由１（進歩性欠如）について
（ア）本件特許の請求項１に係る発明の
　「前記方向性電磁鋼板の圧延方向と平行な方向の長さが３００ｍｍかつ板幅方向と平行な方向の長さが６０ｍｍである短冊状のサンプルを前記方向性電磁鋼板から採取し、前記サンプルの少なくとも片面を酸洗することにより、前記張力絶縁被膜の表面から、前記鋼板母材と前記１次被膜との界面よりも前記鋼板母材側に５μｍの深さ位置までの範囲を除去した後に前記サンプルの反り量を測定したとき、
　前記反り量が下記の式Ａ及び式Ｂを満た」す「方向性電磁鋼板。
　　１５０００μｍ≦ＳＡ−ＳＣ≦３５０００μｍ・・・（式Ａ）
　　９００μｍ≦ＳＢ＋ＳＣ≦１４０００μｍ　　・・・（式Ｂ）
　ここで、ＳＡ、ＳＢ、ＳＣは以下を示す。
　　ＳＡ；前記１次被膜及び前記張力絶縁被膜が形成されレーザ照射した側の片面のみを酸洗した時の前記方向性電磁鋼板の単位μｍでの反り量
　　ＳＢ；前記１次被膜及び前記張力絶縁被膜が形成されレーザ照射した側と反対側の片面のみを酸洗した時の前記方向性電磁鋼板の単位μｍでの反り量
　　ＳＣ；両面を酸洗した時の前記方向性電磁鋼板の単位μｍでの反り量
　ただし、ＳＡとＳＢの測定の際には酸洗した面と同一方向への反りを正の値とし、ＳＣはＳＡと同じ方向への反りを正の値と定義する。」
という発明特定事項に相当する事項は、甲１〜甲５の記載からは、導くことはできない。
　その理由は以下のとおりである。
（イ）本件特許の願書に添付された明細書には、
　「ΔＳＣ及びΔＳＬを上記の範囲にするには、被膜の成膜条件、レーザの種類及びレーザ照射条件を調整する必要がある。」（【００３７】）
　「具体的には、１次被膜を有する方向性電磁鋼板の両表面に、被膜量が１．０ｇ／ｍ２〜４．５ｇ／ｍ２の範囲の張力絶縁被膜をそれぞれ塗布及び焼付けしさらに、一方の表面に０．８ｍＪ／ｍｍ２〜２．０ｍＪ／ｍｍ２の照射エネルギー密度でレーザを照射するとよいことを確認している」（【００３８】）
と記載されており、上記【００３７】の「ΔＳＣ及びΔＳＬを上記の範囲にする」ことは、請求項１に記載された前記アの式Ａ，Ｂを満たすことを意味するところ、上記【００３８】の記載については、「張力絶縁被膜の被膜量」が１．０ｇ／ｍ２〜４．５ｇ／ｍ２の範囲にあり、「照射エネルギー密度」が０．８ｍＪ／ｍｍ２〜２．０ｍＪ／ｍｍ２の範囲にありさえすれば、無条件で式Ａ，Ｂが満たされることを意味していると解すべきではなく、むしろ、
１．０ｇ／ｍ
２
〜４．５ｇ／ｍ
２
の範囲内で選択した「張力絶縁被膜の被膜量」の値に応じて、「レーザ照射エネルギー密度」の値を０．８ｍＪ／ｍｍ
２
〜２．０ｍＪ／ｍｍ
２
の範囲内で選択することによって、式Ａ，Ｂを満たす値の組合せが得られる
「張力絶縁被膜の被膜量」及び「レーザ照射密度」のそれぞれの値を選択する際の指針となる式Ａ，Ｂについての認識
　しかるところ、甲１〜甲５のいずれにも、「張力絶縁被膜の被膜量」及び「レーザ照射密度」のそれぞれの値を選択する際の指針として式Ａ，Ｂを用いることについては、記載も示唆もなく、このことが、本件特許の優先日の時点において当業者の技術常識であったともいえない。
（ウ）したがって、請求項１に係る発明の他の発明特定事項について検討するまでもなく、請求項１に係る発明は、甲１、甲２及び甲３に記載された発明、又は、甲１、甲４及び甲５に記載された発明に基づいて、当業者が容易に発明をすることができたものであるとはいえない。
　同様の理由により、請求項１を引用する請求項２〜５に係る発明についても、甲１証、甲２及び甲３に記載された発明、又は、甲１、甲４及び甲５に記載された発明に基づいて、当業者が容易に発明をすることができたものであるとはいえない。
　イ　申立理由２（明確性要件違反）について
（ア）申立理由２（ア）について
　ａ　請求項１には、「鋼板母材と、前記
鋼板母材の表面
１次被膜
張力絶縁被膜
　ｂ　また、請求項１には、「酸洗」の定義について、「サンプルの少なくとも片面を酸洗することにより、
前記張力絶縁被膜の表面から、前記鋼板母材と前記１次被膜との界面よりも前記鋼板母材側に５μｍの深さ位置までの範囲を除去
　ｃ　その上で、請求項１では、ＳＡ，ＳＢ，ＳＣが、前記「ｂ」で定義された「酸洗」という記載を用いて、それぞれ、
　「ＳＡ；前記
１次被膜及び前記張力絶縁被膜が形成されレーザ照射した側の片面
酸洗
　　ＳＢ；前記１次被膜及び前記張力絶縁被膜が形成されレーザ照射した側と
反対側の片面のみを酸洗
　　ＳＣ；
両面を酸洗
と定められているから、前記「ｂ」の「酸洗」の定義を踏まえれば、鋼板母材の「両面」に「１次被膜」及び「張力絶縁被膜」が積層されていることは明らかである。
　ｄ　したがって、請求項１及び請求項１を引用する請求項２〜５の記載は明確であって、申立理由２（ア）には理由がない。
（イ）申立理由２（イ）について
　ａ　前記「第２」で検討したとおり、本件訂正によって、請求項１における「ＳＡ」の「片面」は「前記１次被膜及び前記張力絶縁被膜が形成されレーザ照射した側の片面」であり、「ＳＢ」の「片面」は「前記１次被膜及び前記張力絶縁被膜が形成されレーザ照射した側と反対側の片面」であることが特定されから、「ＳＡ」及び「ＳＢ」は、一義的に解釈できるようになった。
　ｂ　したがって、請求項１及び請求項１を引用する請求項２〜５の記載は明確であって、申立理由２（イ）にも理由がない。
第４　むすび
　以上のとおり、請求項１〜５に係る本件特許は、取消理由通知に記載した取消理由及び特許異議申立書に記載した申立理由によっては、取り消すことはできない。
　よって、結論のとおり決定する。
【異議決定日】
令和１年６月２１日（２０１９．６．２１）
【訂正の要旨】
審決（決定）の【理由】欄参照。
（５７）【特許請求の範囲】
　【請求項１】
　鋼板母材と、前記鋼板母材の表面に形成された１次被膜と、前記１次被膜の表面に形成された張力絶縁被膜とを有
し、前記張力絶縁被膜の上からレーザを照射することにより磁区制御がなされた
　前記方向性電磁鋼板の圧延方向と平行な方向の長さが３００ｍｍかつ板幅方向と平行な方向の長さが６０ｍｍである短冊状のサンプルを前記方向性電磁鋼板から採取し、前記サンプルの少なくとも片面を酸洗することにより、前記張力絶縁被膜の表面から、前記鋼板母材と前記１次被膜との界面よりも前記鋼板母材側に５μｍの深さ位置までの範囲を除去した後に前記サンプルの反り量を測定したとき、
　前記反り量が下記の式Ａ及び式Ｂを満たし、
　前記張力絶縁被膜の単位μｍでの平均膜厚ｄｔを前記１次被膜の単位μｍでの平均膜厚ｄｐで除した値ｄｔ／ｄｐが０．１以上３．０以下である
ことを特徴とする方向性電磁鋼板。
　１５０００μｍ≦ＳＡ−ＳＣ≦３５０００μｍ・・・（式Ａ）
　９００μｍ≦ＳＢ＋ＳＣ≦１４０００μｍ・・・（式Ｂ）
　ここで、ＳＡ、ＳＢ、ＳＣは以下を示す。
　ＳＡ；
前記１次被膜及び前記張力絶縁被膜が形成されレーザ照射した側の
　ＳＢ；
前記１次被膜及び前記張力絶縁被膜が形成されレーザ照射した側と
　ＳＣ；両面を酸洗した時の前記方向性電磁鋼板の単位μｍでの反り量
　ただし、ＳＡとＳＢの測定の際には酸洗した面と同一方向への反りを正の値とし、ＳＣはＳＡと同じ方向への反りを正の値と定義する。
　【請求項２】
　前記張力絶縁被膜の単位μｍでの平均膜厚ｄｔを前記１次被膜の単位μｍでの平均膜厚ｄｐで除した値ｄｔ／ｄｐが０．１以上１．５以下である
ことを特徴とする請求項１に記載の方向性電磁鋼板。
　【請求項３】
　前記張力絶縁被膜の単位μｍでの平均膜厚ｄｔを前記１次被膜の単位μｍでの平均膜厚ｄｐで除した値ｄｔ／ｄｐが０．１以上１．０以下である
ことを特徴とする請求項１に記載の方向性電磁鋼板。
　【請求項４】
　前記張力絶縁被膜の平均膜厚が０．５μｍ以上４．５μｍ以下である
ことを特徴とする請求項１から３の何れか１項に記載の方向性電磁鋼板。
　【請求項５】
　前記１次被膜及び前記張力絶縁被膜によって前記鋼板母材に与えられる合計の張力が１ＭＰａ以上１０ＭＰａ以下である
ことを特徴とする請求項１から４の何れか１項に記載の方向性電磁鋼板。